(57)【要約】【課題】１つのコネクタ内に被検体への照明光の伝送路と被検体からの光の伝送路との２つの光軸を配置しながら、２つの光軸の位置精度に起因する伝送損失を抑制する。【解決手段】プラグコネクタ５１の検出光口金５３を軸とする１つの軸部内に、照明光を入射する光入射部５４ａと、受光用ファイバ１１によって伝送される被検体からの光を出射する光出射部５３ａとを隣接して設ける。プラグコネクタ６１をレセプタクルコネクタ６１に接続したとき、プラグコネクタ５１の光入射部５４ａに、レセプタクルコネクタ６１の照明光口金６５の光ファイバ３４から照明光が入射され、プラグコネクタ５１の光出射部５３ａから出射される光がレセプタクルコネクタ６１の検出光口金受け６４に設けられた受光部６４ｂで受光されて本体装置に伝送される。【選択図】図２
2017079931.tif 000002
【特許請求の範囲】
【請求項１】
照明光を発生する光源装置に接続されるレセプタクルコネクタと、被検体に挿入される内視鏡に設けられて前記レセプタクルコネクタに脱着自在なプラグコネクタとからなる内視鏡コネクタであって、
前記プラグコネクタの１つの軸部内に、
前記レセプタクルコネクタに前記プラグコネクタが装着された際に前記光源装置から発生する前記照明光が入射可能な光入射部と、
前記照明光が照射された前記被検体からの光を伝送する複数のライトガイドであって、前記ライトガイドが前記光入射部の周囲に隣接して設けられる光出射部と、
を配置することを特徴とする内視鏡コネクタ。
【請求項２】
前記光出射部は前記光入射部を中心として、前記光入射部の外周に接して設けられ、前記光入射部と同軸に配置されることを特徴とする請求項１に記載の内視鏡コネクタ。
【請求項３】
前記光入射部は、前記内視鏡内に前記照明光を伝播し、前記内視鏡の先端から前記被検体に前記照明光を照射する照明用ファイバによって形成され、
前記光出射部は、前記内視鏡の先端に設けられた光入射面に入射された前記被検体からの光を伝送して先端から出射する受光用ファイバによって形成される
ことを特徴とする請求項１に記載の内視鏡コネクタ。
【請求項４】
前記レセプタクルコネクタに、前記光出射部から出射される光を受光する受光面を形成する光ファイバを備えることを特徴とする請求項１に記載の内視鏡コネクタ。
【請求項５】
前記レセプタクルコネクタに、前記光出射部から出射される光を受光して電気信号に変換する受光部を備えることを特徴とする請求項１に記載の内視鏡コネクタ。
【請求項６】
前記受光部は、前記光出射部から出射される光の光路を変更するミラーと、前記ミラーからの光を受けて電気信号に変換する光検出器とを備えることを特徴とする請求項５に記載の内視鏡コネクタ。
【発明の詳細な説明】
【技術分野】
【０００１】
本発明は、光源装置と内視鏡との接続に使用される内視鏡用コネクタに関する。
【背景技術】
【０００２】
医療分野及び工業用分野等において利用される内視鏡として、挿入部の先端部にＣＣＤやＣＭＯＳ等の固体撮像素子を内蔵した電子内視鏡が普及している。また、この電子内視鏡に対して、観察対象領域上の極小の一点に照射する光を走査させつつ連続的に反射光を受光することにより、観察対象領域の画像を得る光走査型内視鏡が知られている。
【０００３】
この光走査型内視鏡では、光源装置及び制御装置を内蔵する外部装置とコネクタを介して接続する際、照明光を伝送する光ファイバによる光路と被検体からの反射光を伝送する光ファイバによる光路との２系統の光路をコネクタに設ける必要がある。
【０００４】
例えば、特許文献１には、光走査型内視鏡の内視鏡側コネクタにおいて、光源ユニットからの光を観察対象領域上に照射するためのスキャニングファイバと、被検体からの光を受光ユニットに伝送するための受光ファイバとが互いに独立して配置されているコネクタが開示されている。
【先行技術文献】
【特許文献】
【０００５】
【特許文献１】特開２０１１−５０６６７号公報
【発明の概要】
【発明が解決しようとする課題】
【０００６】
特許文献１に開示されるような従来の光走査型内視鏡のコネクタでは、被検体への照明光の伝送路と被検体からの光の伝送路との２つの光軸が独立して設けられている。しかしながら、２つの軸をコネクタに高精度に並べることは困難であり、コネクタの接続時に一方の軸を高精度に接続できても他方の軸にずれが生じることは避けられず、コネクタでの光の伝送効率の低下を招く虞がある。
【０００７】
本発明は上記事情に鑑みてなされたもので、１つのコネクタ内に被検体への照明光の伝送路と被検体からの光の伝送路との２つの光軸を配置しながら、２つの光軸の位置精度に起因する伝送損失を抑制することのできる内視鏡コネクタを提供することを目的としている。
【課題を解決するための手段】
【０００８】
本発明の一態様による内視鏡コネクタは、照明光を発生する光源装置に接続されるレセプタクルコネクタと、被検体に挿入される内視鏡に設けられて前記レセプタクルコネクタに脱着自在なプラグコネクタとからなる内視鏡コネクタであって、前記プラグコネクタの１つの軸部内に、前記レセプタクルコネクタに前記プラグコネクタが装着された際に前記光源装置から発生する前記照明光が入射可能な光入射部と、前記照明光が照射された前記被検体からの光を伝送する複数のライトガイドであって、前記ライトガイドが前記光入射部の周囲に隣接して設けられる光出射部と、を配置する。
【発明の効果】
【０００９】
本発明によれば、１つのコネクタ内に被検体へ照明光の伝送路と被検体からの光の伝送路との２つの光軸を配置しながら、２つの光軸の位置精度に起因する伝送損失を抑制することができる。
【図面の簡単な説明】
【００１０】
【図１】本発明の実施の第１形態に係り、内視鏡システムの概略構成図
【図２】同上、内視鏡コネクタの構成図
【図３】同上、光出射部の正面図
【図４】同上、受光部の正面図
【図５】本発明の実施の第２形態に係り、内視鏡コネクタの構成図
【図６】同上、ミラー及び受光素子の配置を示す説明図
【図７】同上、ミラー及び受光素子をユニット化した例を示す説明図
【図８】同上、ミラー及び受光素子の配置の変形例を示す説明図
【発明を実施するための形態】
【００１１】
以下、図面を参照して本発明の実施の形態を説明する。尚、以下の説明に用いる各図においては、各構成要素を図面上で認識可能な程度の大きさとするため、構成要素毎に縮尺を異ならせてあるものもある。すなわち、本発明は、これらの図に記載された構成要素の数量、構成要素の形状、構成要素の大きさの比率、及び各構成要素の相対的な位置関係に限定されるものではない。
【００１２】
（第１形態）
図１に示す内視鏡システム１は、光走査型内視鏡（以下、単に「内視鏡」と略記）２と、内視鏡２への照明光の供給や各種信号処理を行う外部処理装置としての本体装置３と、本体装置３により生成される画像信号に対応する画像を表示する表示装置としてのモニタ４とを有している。内視鏡２は、内視鏡コネクタ５を介して本体装置３と着脱自在に接続される。
【００１３】
内視鏡２は、被検体内に挿入される可撓性を有する挿入部２１と、この挿入部２１の基端に設けられた操作部２２と、この操作部２２から一端が延出される可撓性のユニバーサルケーブル２３と、このユニバーサルケーブル２３の他端に設けられたプラグコネクタ５１とを有している。プラグコネクタ５１は、本体装置３に設けられたレセプタクルコネクタ６１と着脱自在に接続され、プラグコネクタ５１とレセプタクルコネクタ６１とにより、内視鏡コネクタ５が構成される。
【００１４】
挿入部２１の先端部分内部には、１つ又は複数の光学部材を有する照明光学系６と検出光学系１０とが設けられている。照明光学系６は、光走査ユニット７からの照明光を観察対象に出射する。検出光学系１０は、被検体からの光を集光して受光用ファイバ１１に入射する。
【００１５】
光走査ユニット７は、照明用ファイバ８及びアクチュエータ９によって構成されている。照明用ファイバ８は、照明光を伝送する光るファイバであり、プラグコネクタ５１に接続されている。内視鏡２のプラグコネクタ５１と本体装置３のレセプタクルコネクタ６１とが接続されたとき、照明用ファイバ８は、本体装置３のレーザダイオードモジュール（「ＬＤモジュール」と略記）３３から出射された照明光を導光する。導光された照明光は、先端から照明光学系６を通過して観察対象である被検体に向けて出射される。
【００１６】
アクチュエータ９は、例えば圧電素子であって、照明用ファイバ８の先端側に設けられたスキャナ駆動部である。圧電素子は、例えば周方向に四分割された位置に二対の電極を相対して設けている。この圧電素子は、本体装置３の駆動回路３２ａからの駆動信号によって駆動され、照明用ファイバ８の先端を揺動制御して照明光を観察対象上において予め定めた軌跡に走査する。
【００１７】
尚、符号９ａは、アクチュエータ９の駆動ケーブルであって、プラグコネクタ５１に接続され、プラグコネクタ５１及びレセプタクルコネクタ６１を介して本体装置３の駆動回路３２ａに接続される。
【００１８】
受光用ファイバ１１は、検出光学系１０で検出された光を伝送する複数の光ファイバからなるライトガイドであり、プラグコネクタ５１に接続されている。この受光用ファイバ１１は、挿入部２１の先端部分では、例えば複数の光ファイバが照明光学系６を環状に囲むように配置され、挿入部２１内で纏められて操作部２２側に延出され、プラグコネクタ５１内では、後述するように、２群に分かれて配置される。受光用ファイバ１１によって伝送された光は、プラグコネクタ５１及びレセプタクルコネクタ６１を介して本体装置３の光電変換部３８に伝送され、電気信号に変換される。
【００１９】
次に、本体装置３について説明する。本体装置３は、内視鏡２に照明光を供給する光源装置として機能する光源部３１と、光走査ユニット７の制御及び光電変換部３８で変換した検出光の信号に基づく画像生成処理を行う制御装置として機能するプロセッサ部３２とを主機能として備えている。
【００２０】
光源部３１は、ＬＤモジュール３３と光ファイバ３４とを有する。ＬＤモジュール３３は、照明光となるレーザ光を発生する。光ファイバ３４は、ＬＤモジュール３３とレセプタクルコネクタ６１とを接続し、ＬＤモジュール３３から発生された照明光となるレーザ光をレセプタクルコネクタ６１に伝送する。
【００２１】
プロセッサ部３２は、光走査ユニット７のアクチュエータ９を駆動制御する駆動回路３２ａ、ＬＤモジュール３３の動作を制御する制御回路３２ｂ、照明光の照射位置の位置情報に基づいて照射形状の軌跡に対応した画素配列の画素信号（画像信号）を生成する画像処理回路３２ｃ、レーザ光の発光量を調整する調光信号を生成する調光回路３２ｄを備えている。
【００２２】
駆動回路３２ａは、電気ケーブル３７を介してレセプタクルコネクタ６１の電気接点６３ａ（図２参照）に接続されている。レセプタクルコネクタ６１にプラグコネクタ５１が接続されると、レセプタクルコネクタ６１の電気接点６３ａとプラグコネクタ５１の電気接点５５ａ（図２参照）とが接触して導通状態になり、この導通状態において、駆動回路３２ａにより生成された駆動信号が電気ケーブル３７から駆動ケーブル９ａを経てアクチュエータ９に駆動信号が印加される。
【００２３】
制御回路３２ｂは、駆動回路３２ａにおけるアクチュエータ９の駆動信号の発生に同期してＬＤモジュール３３の動作を制御する。例えば、照明用ファイバ８の先端が渦巻き状の軌跡を描く動作中において、制御回路３２ｂは、ＬＤモジュール３３がレーザ光源をパルス発光させるように制御する。このパルス発光により、被検体側に光スポットが形成され、被検体側で反射された光は、検出光学系１０により検出光として検出され、受光用ファイバ１１からプラグコネクタ５１及びレセプタクルコネクタ６１を介して光電変換部３８に伝送される。
【００２４】
光電変換部３８は、検出光ファイバ３９を介してレセプタクルコネクタ６１に接続されている。検出光ファイバ３９は、複数の光ファイバを束ねたファイバ束として構成され、同じく複数の光ファイバからなる受光用ファイバ１１から伝送された検出光がプラグコネクタ５１及びレセプタクルコネクタ６１を介して検出光ファイバ３９に出射される。光電変換部３８は、検出光ファイバ３９の端面から出射される光を受光して光路を形成する光学系３８ａと、この光学系３８ａからの光を電気信号に変換する光検出器３８ｂとを備えて構成されている。
【００２５】
光学系３８ａは、レンズやダイクロイックミラー等の光学部材により構成され、検出光ファイバ３９によって伝送された光を、光路生成や波長帯域の選択等を経て光検出器３８ｂに導く。光検出器３８ｂは、例えば、フォトダイオード（photodiode；PD）やアバランシェフォトダイオード（avalanche photodiode；APD）等の受光素子によって構成され、光学系３８ａから入射された光を電気的な検出信号に変換して画像処理回路３２ｃに出力する。尚、図１においては、光学系３８ａ及び光検出器３８ｂの一部を簡略化して図示している。
【００２６】
画像処理回路３２ｃは、光検出器３８ｂからの検出信号を増幅した後、デジタル信号に変換し、メモリに予め記憶されている照射位置の位置情報に基づいて、照明光のスキャン形状の軌跡に対応した画素配列の画素信号（画像信号）を生成し、（標準の表示装置に用いられる）ラスタスキャン方式に対応した標準の画素配列の画像信号に変換する。そして、観察に適した画像信号となるように、ゲイン調整、輪郭強調、ガンマ補正等を行い、モニタ４に出力する。モニタ４は、画像信号に対応するカラーの画像を表示する。
【００２７】
また、画像処理回路３２ｃは、画像信号の明るさを算出し、調光回路３２ｄに出力する。調光回路３２ｄは、入力された明るさと基準の明るさとの差分を調光信号として生成し、生成した調光信号をＬＤモジュール３３に出力する。ＬＤモジュール３３は、調光信号に応じてレーザ光源を発光させる際の発光量を調整し、検出（算出）される画像信号の明るさが基準の明るさとなるように発光を制御する。
【００２８】
次に、内視鏡２と本体装置３とを接続する内視鏡コネクタ５について説明する。内視鏡コネクタ５は、内視鏡２側のプラグコネクタ５１と、本体装置３側のレセプタクルコネクタ６１とから構成され、それぞれに電気的な接続部と光学的な接続部とを備えている。
【００２９】
図２に示すように、プラグコネクタ５１は、レセプタクルコネクタ６１に脱着自在に結合されるプラグ本体５２と、プラグ本体５２から突出される円筒軸状の検出光口金５３と、検出光口金５３から同軸的に突出される照明光口金受け５４と、検出光口金５３の基部側に設けられた円環状の電気接続部５５とを備えている。照明光口金受け５４は、検出光口金５３よりも細径に形成されて検出光口金５３の先端中央部から突出されている。
【００３０】
尚、照明光口金受け５４は、検出光口金５３の先端面よりも突出することなく、検出光口金５３内に同軸的に埋設するようにしても良い。
【００３１】
検出光口金５３は、照明用ファイバ８を中心として、その外周に隣接して設けられる受光用ファイバ１１の複数の光ファイバの出射端を保持している。検出光口金５３によって保持される受光用ファイバ１１は、受光用ファイバ１１の出射端面側の平面から見たとき、図３の正面図に示すように、検出光口金５３の端面の照明光口金受け５４外周に接する２つの半円環状の領域に分割されて配置されている。各領域には、受光用ファイバ１１が２つのファイバ束１１ａ，１１ｂに分かれて配置されており、各ファイバ束１１ａ，１１ｂの出射端面がドットパターン状に配列されて、照明光口金受け５４と同軸的に配置される光出射部５３ａが形成されている。
【００３２】
照明光口金受け５４は、検出光口金５３から延出される照明用ファイバ８の入射端付近を保持する外装体であるフェルール５６を内部に保持している。この照明光口金受け５４は、レセプタクルコネクタ６１側の照明光口金６５と接続され、照明用ファイバ８の入射端により、光ファイバ３４によって伝送されるＬＤモジュール３３からの照明光を入射可能な光入射部５４ａが形成される。
【００３３】
電気接続部５５は、外周部に複数の電気接点５５ａが接触面を露呈するように配置されている。これらの電気接点５５ａは、レセプタクルコネクタ６１側の電気接点６３ａと所定の接触圧で接触することで電気的接続が確立され、内視鏡２と本体装置３とが電気的に接続される。
【００３４】
一方、レセプタクルコネクタ６１は、プラグコネクタ５１のプラグ本体５２に着脱自在に結合されるカップ状のカップリングソケット６２と、カップリングソケット６２の内部側に設けられた電気接続部６３と、カップリングソケット６２に同軸的に取り付けられて検出光口金５３が挿入される検出光口金受け６４と、検出光口金受け６４の内部に、照明光口金受け５４と対向するように取り付けられる照明光口金６５とを備えている。
【００３５】
電気接続部６３は、カップリングソケット６２の内部底面側に設けられた環状部材により形成され、この環状部材の内周面に、プラグコネクタ５１の複数の電気接点５５ａに当接して電気的に導通可能な複数の電気接点６３ａが設けられている。電気接点６３ａは、プラグコネクタ５１とレセプタクルコネクタ６１とが接続されたとき、プラグコネクタ５１の電気接点５５ａを所定の接触圧で押圧するようにバネ材等の弾性部材を用いて構成されている。各電気接点６３ａは、端子基板６３ｂに接続され、この端子基板６３ｂに電気ケーブル３７が接続されている。
【００３６】
検出光口金受け６４は、プラグコネクタ５１の検出光口金５３が挿入される接続孔６４ａを備え、この接続孔６４ａの奥部の検出光口金５３の端面に対向する部位に、受光用ファイバ１１の出射端に対向する受光部６４ｂが設けられている。受光部６４ｂは、光電変換部３８に検出光を出射する検出光ファイバ３９の入射端によって形成され、検出光口金５３から突出する照明光口金受け５４を囲むように配置されている。
【００３７】
詳細には、受光部６４ｂは、図４の正面図に示すように、プラグコネクタ５１の照明光口金受け５４を囲む半円環状の２つの受光面６４ｂ１，６４ｂ２によって形成されている。各受光面６４ｂ１，６４ｂ２には、複数の光ファイバからなる検出光ファイバ３９が２つのファイバ束３９ａ，３９ｂに分かれて配置されている。
【００３８】
各ファイバ束３９ａ，３９ｂは、それぞれの複数の光ファイバの入射端面がプラグコネクタ５１の光出射部５３ａを形成するファイバ束１１ａ，１１ｂの出射端面に対向してドットパターン状に配列されている。ファイバ束３９ａ，３９ｂは、検出光口金受け６４から延出されてレセプタクルコネクタ６１の外部で１つに束ねられ、光電変換部３８に接続されている。
【００３９】
尚、検出光口金受け６４の検出光ファイバ３９の周囲には、受光用ファイバ１１から出射される光が外部に漏洩しないように遮光性の部材６４ｃが配設され、この遮光性の部材６４ｃで検出光ファイバ３９を固定或いは弾性的に保持するようにしている。
【００４０】
照明光口金６５は、ＬＤモジュール３３により発生した照明光を伝送する光ファイバ３４の出射端付近を保持するフェルール６６を内蔵し、検出光口金受け６４に同軸的に保持されている。この照明光口金６５は、プラグコネクタ５１の照明光口金受け５４にスリーブ６７を介して嵌合され、照明光口金受け５４内の照明用ファイバ８の入射端面と照明光口金６５内の光ファイバ３４の出射端面とが対向して同軸上に配置される。
【００４１】
尚、光ファイバ３４の出射端付近には、例えば、屈折率分布型レンズとしてのグリンレンズ３５が光ファイバ３４に一体的に設けてある。光ファイバ３４により伝送された光は、グリンレンズ３５により拡開されて平行光（ビーム）にされ、グリンレンズ３５の出射端から出射されて照明用ファイバ８に入射される。
【００４２】
以上の構成を有する内視鏡コネクタ５においては、プラグコネクタ５１は、プラグ本体５２、検出光口金５３、照明光口金受け５４、及び電気接続部５５の各構成部品が互いにガタの無いリジットで精度の高い一体構造とされている。これに対して、レセプタクルコネクタ６１は、カップリングソケット６２、電気接続部６３、検出光口金受け６４、及び照明光口金６５の各構成部品が同軸上で若干の遊びを持たせた構造とされている。
【００４３】
従って、プラグコネクタ５１をレセプタクルコネクタ６１に接続したとき、プラグコネクタ５１に対してレセプタクルコネクタ６１の各構成部品が干渉することがなく、プラグコネクタ５１にレセプタクルコネクタ６１が倣うように結合される。その結果、着脱が容易でありながら電気的及び光学的に確実な接続を得ることのできるコネクタとすることができる。
【００４４】
また、内視鏡２側のプラグコネクタ５１は、検出光口金５３を軸とする１つの軸部内において、照明光を入射する光入射部５４ａと、受光用ファイバ１１によって伝送される被検体からの光を出射する光出射部５３ａとが径方向で隣接して設けられている。これにより、光入射部５４ａが形成されるプラグコネクタ５１の照明光口金受け５４と照明光を出射するレセプタクルコネクタ６１の照明光口金６５とを高い位置精度で結合して効率良く照明光を伝送すると共に、受光用ファイバ１１によって伝送される被検体からの光を、レセプタクルコネクタ６１の検出光口金受け６４に設けられた受光部６４ｂで損失を最小限に抑制して受光することができる。
【００４５】
この場合、プラグコネクタ５１の検出光口金５３に設けられた光出射部５３ａと、レセプタクルコネクタ６１の検出光口金受け６４に設けられた受光部６４ｂとが対向する光学的な接続面において、受光用ファイバ１１の中心に照明用ファイバ８が挿入されている構造として明るさ情報のみを取り出せるようにすることで、照明・受光の伝送路を１つの軸部内に並べることができる。受光用ファイバ１１は、像を伝送しているわけではなく明るさ情報のみを伝送しているので、受光用ファイバ１１のバンドル中央を照明用ファイバ８が「ケル」状態であっても特に問題は無い。
【００４６】
照明・受光の伝送路を１つの軸部内に並べることで、各部品を旋盤加工品で構成することが可能になり、照明・受光の伝送路を独立した２つの軸とする場合のように、２軸の位置精度を確保するために難度の高い加工を行う必要がなく、通常の１軸加工で高精度の部品を低コストで得ることが可能となる。
【００４７】
このように、本実施の形態においては、１つのコネクタ内に被検体への照明光の伝送路と被検体からの光の伝送路との２つの光軸を配置しながら、２つの光軸の位置精度に起因する伝送損失を抑制することができ、高効率で光を伝送することが可能な内視鏡コネクタを実現することができる。
【００４８】
（第２形態）
次に、本発明の実施の第２形態について説明する。第２形態は、第１形態のレセプタクルコネクタ６１の構成を変更し、受光用ファイバ１１によって伝送される被検体からの光を、検出光ファイバ３９を介することなくコネクタ内で電気信号に変換する。
【００４９】
このため、図５に示すように、第２形態のレセプタクルコネクタ６１’は、主として、第１形態のレセプタクルコネクタ６１の検出光口金受け６４の構成を変更した検出光口金受け６４’としている。この検出光口金受け６４’においては、プラグコネクタ５１の検出光口金５３が挿入される接続孔６４ａ奥部でプラグコネクタ５１の検出光口金５３の端面に対向する部位に設けられた受光部６４ｂを、１つ又は複数組のミラー７０及び光検出器７１を有する受光部７２に変更している。
【００５０】
ミラー７０は、検出光口金受け６４’の軸中心に対して斜めに配置されており、プラグコネクタ５１の検出光口金５３において光出射部５３ａを形成する受光用ファイバ１１の出射端面からの光を集光して径方向に光路を変更する。尚、ミラー７０の集光面は、受光用ファイバ１１から出射される光を効率的に集光可能なように、平面或いは曲面形状に形成されている。
【００５１】
光検出器７１は、ＰＤ或いはＡＰＤ等の受光素子７１ａと、この受光素子７１ａを実装する基板７１ｂとを備えて構成されている。基板７１ｂは、ミラー７０からの光が受光素子７１ａの受光面に入射するよう、例えば検出光口金受け６４’の軸方向に沿って平行に配置されている。
【００５２】
このように、ミラー７０を用いて受光素子７１ａを実装した基板７１ｂを検出光口金受け６４’の軸方向に沿って平行に配置することで、受光素子７１ａ及び基板７１ｂを、プラグコネクタ５１側の光出射部５３ａに対向する平面上に配置する場合に比較して、レセプタクルコネクタ６１’の径方向の大きさを抑制することが可能となる。結果、コネクタ径の自由度が増して、より大きいサイズの受光素子を使用することが可能となる。
【００５３】
ミラー７０は、複数個を分離して配置しても良いが、例えば、図６に示すように、検出光口金５３の光出射部５３ａを覆うように拡開するコーン状に形成しても良い。コーン状のミラー７０の外周側に多数の受光素子７１ａを配置することにより、感度を向上することができる。
【００５４】
また、受光部７２は、図７に示すように、検出光口金受け６４’の内周面に嵌合される環状状の枠部材７３に、ミラー７０と受光素子７１ａ及び基板７１ｂとを収容してユニット化するようしても良い。枠部材７３は、基板７１ｂが装着される内周面と、ミラー７０が装着される傾斜面とからなる溝部７３ａを有しており、溝部７３ａの傾斜面を研磨して鏡面仕上げとすることで、ミラー７０を一体的に形成することができる。
【００５５】
この場合、前述したように、プラグコネクタ５１側の受光用ファイバ１１は、像を伝送しているわけではないので、受光素子７１ａは必ずしも円周上に均等に配置する必要は無い。このため、ミラー７０及び受光素子７１ａは、１〜数組としても良い。
【００５６】
例えば、図８に示すように、プラグコネクタ５１の検出光口金５３を、受光用ファイバ１１の出射端付近を偏心させて１ヶ所に集めて光出射部８０を形成した検出光口金９０として、この光出射部８０から出射される光を、１組のミラー７０と受光素子７１ａ及び基板７１ｂとにより検出するようにしても良い。このように受光素子７１ａの数を減らすことにより、システム全体の耐ノイズ性を向上することが可能となる。
【００５７】
第２形態では、レセプタクルコネクタ６１’内に受光素子７１ａを配設して、被検体からの光を電気信号に変換するので、第１形態のようにレセプタクルコネクタ６１から検出光ファイバ３９を経由して伝送された被検体の検出光を電気信号に変換する光電変換部３８を本体装置３内に設ける必要がない。その結果、被検体の検出光の伝送損失をより低減することができるばかりでなく、システムの小型化を図ることが可能となる。
【符号の説明】
【００５８】
１  内視鏡システム
２  光走査型内視鏡
３  本体装置
４  モニタ
５  内視鏡コネクタ
６  照明光学系
７  光走査ユニット
８  照明用ファイバ
９  アクチュエータ
９ａ  駆動ケーブル
１０  検出光学系
１１  受光用ファイバ
１１ａ，１１ｂ  ファイバ束
２１  挿入部
２２  操作部
２３  ユニバーサルケーブル
３１  光源部
３２  プロセッサ部
３２ａ  駆動回路
３２ｂ  制御回路
３２ｃ  画像処理回路
３２ｄ  調光回路
３３  レーザダイオードモジュール
３４  光ファイバ
３５  グリンレンズ
３７  電気ケーブル
３８  光電変換部
３８ａ  光学系
３８ｂ  光検出器
３９  検出光ファイバ
３９ａ，３９ｂ  ファイバ束
５１  プラグコネクタ
５２  プラグ本体
５３  検出光口金
５３ａ  光出射部
５４  照明光口金受け
５４ａ  光入射部
５５  電気接続部
５５ａ  電気接点
５６  フェルール
６１  レセプタクルコネクタ
６１’  レセプタクルコネクタ
６２  カップリングソケット
６３  電気接続部
６３ａ  電気接点
６３ｂ  端子基板
６４  検出光口金受け
６４’  検出光口金受け
６４ａ  接続孔
６４ｂ  受光部
６４ｂ１，６４ｂ２  受光面
６４ｃ  遮光性の部材
６５  照明光口金
６６  フェルール
６７  スリーブ
７０  ミラー
７１  光検出器
７１ａ  受光素子
７１ｂ  基板
７２  受光部
７３  枠部材
７３ａ  溝部
８０  光出射部
９０  検出光口金
【図１】
2017079931.tif 000003
【図２】
2017079931.tif 000004
【図３】
2017079931.tif 000005
【図４】
2017079931.tif 000006
【図５】
2017079931.tif 000007
【図６】
2017079931.tif 000008
【図７】
2017079931.tif 000009
【図８】
2017079931.tif 000010